(57)【要約】【課題】あたかも背景用物品を配置して被写体を撮影したかのような撮影画像を作成することができる印刷物の製造方法、印刷物、画像生成システム、プログラムおよび情報記憶媒体を提供する。【解決手段】撮影方向ＰＤに対して斜め方向となる基準面ＢＳに背景用物体ＢＯＢを配置して撮影画像ＰＩ１を作成し、撮影画像ＰＩ１の基準面ＢＳでの画像のパースペクティブを無くすための補正処理を、撮影画像ＰＩ１の基準面ＢＳに対応する領域に対して施して、補正画像ＲＩを作成し、補正画像ＲＩに基づいて物体ＯＢの撮影の背景に用いる背景用印刷物ＢＰを作成する。【選択図】図１
2009245352.tif 000002
【特許請求の範囲】
【請求項１】
被写体の撮影の背景に用いる印刷物の製造方法であって、
撮影方向に対して斜め方向となる第１の基準面に背景用物体を配置して第１の撮影画像を作成し、
前記第１の撮影画像の前記第１の基準面での画像のパースペクティブを無くすための第１の補正処理を、前記第１の撮影画像の前記第１の基準面に対応する領域に対して施して、第１の補正画像を作成し、
前記第１の補正画像に基づいて被写体の撮影の背景に用いる第１の印刷物を作成することを特徴とする印刷物の製造方法。
【請求項２】
請求項１において、
前記第１の基準面に対して所定の角度をなす第２の基準面を含み、
前記第１の撮影画像の前記第２の基準面での画像のパースペクティブを無くすための第２の補正処理を、前記第１の撮影画像の前記第２の基準面に対応する領域に対して施して、第２の補正画像を作成し、
前記第２の補正画像に基づいて被写体の撮影の背景に用いる第２の印刷物を作成することを特徴とする印刷物の製造方法。
【請求項３】
被写体の撮影の背景に用いる印刷物の製造方法であって、
撮影方向に対して斜め方向となる第１の基準面に配置された背景用物体と前記第１の基準面において長方形を構成する第１〜第４のマークとを撮影して第１の撮影画像を作成し、
前記第１の撮影画像の前記第１〜第４のマークを長方形の頂点位置に移動させる第１の補正処理を行うことで、前記第１の撮影画像から第１の補正画像を作成し、
前記第１の補正画像に基づいて被写体の撮影の背景に用いる第１の印刷物を作成することを特徴とする印刷物の製造方法。
【請求項４】
請求項３において、
前記第１の基準面に対して所定の角度をなす第２の基準面を含み、
前記背景用物体と前記第１〜第４のマークとに加え、前記第２の基準面において長方形を構成する第５〜第８のマークを撮影して前記第１の撮影画像を作成し、
前記第１の撮影画像の前記第５〜第８のマークを長方形の頂点位置に移動させる第２の補正処理を行うことで、前記第１の撮影画像から第２の補正画像を作成し、
前記第２の補正画像に基づいて被写体の撮影の背景に用いる第２の印刷物を作成することを特徴とする印刷物の製造方法。
【請求項５】
請求項１〜４のいずれかにおいて、
被写体撮影時における撮影位置を指示する撮影位置指示物体を前記第１の基準面または前記第２の基準面に配置して、前記第１の撮影画像を作成することを特徴とする印刷物の製造方法。
【請求項６】
請求項１〜４のいずれかにおいて、
前記第１の撮影画像、前記第１の補正画像、または前記第２の補正画像に、被写体撮影時における撮影位置を指示する指示画像を合成することを特徴とする印刷物の製造方法。
【請求項７】
請求項１〜６のいずれかの製造方法により作成された印刷物。
【請求項８】
請求項１〜６のいずれかの製造方法により作成された印刷物を複製することで作成された印刷物。
【請求項９】
請求項７または８の印刷物を被写体の撮影の背景に用いた印刷物の製造方法であって、
前記第１の基準面に対応する基準面に前記第１の印刷物および被写体を配置して第２の撮影画像を作成し、
前記第２の撮影画像に基づいて請求項７または８の印刷物を被写体の撮影の背景に用いた印刷物を作成することを特徴とする印刷物の製造方法。
【請求項１０】
請求項９において、
前記第２の基準面に対応する基準面に前記第２の印刷物を配置して前記第２の撮影画像を作成することを特徴とする印刷物の製造方法。
【請求項１１】
請求項９または１０において、
前記第２の撮影画像の撮影位置が、前記第１の撮影画像の撮影位置に対応する位置であることを特徴とする印刷物の製造方法。
【請求項１２】
請求項９〜１１のいずれかの製造方法により作成された印刷物。
【請求項１３】
請求項９〜１１のいずれかの製造方法により作成された印刷物を複製することで作成された印刷物。
【請求項１４】
被写体の撮影の背景に用いる背景用画像を生成する画像生成システムであって、
撮影方向に対して斜め方向となる基準面に背景用物体を配置して撮影された撮影画像を取り込む取り込み部と、
前記撮影画像の前記基準面での画像のパースペクティブを無くすための補正処理を、前記撮影画像の前記基準面に対応する領域に対して施して、背景用画像を生成する背景用画像生成部とを含むことを特徴とする画像生成システム。
【請求項１５】
被写体の撮影の背景に用いる背景用画像を生成するプログラムであって、
撮影方向に対して斜め方向となる基準面に背景用物体を配置して撮影された撮影画像を取り込む取り込み部と、
前記撮影画像の前記基準面での画像のパースペクティブを無くすための補正処理を、前記撮影画像の前記基準面に対応する領域に対して施して、背景用画像を生成する背景用画像生成部としてコンピュータを機能させることを特徴とするプログラム。
【請求項１６】
コンピュータにより読取可能な情報記憶媒体であって、請求項１５に記載のプログラムを記憶することを特徴とする情報記憶媒体。
【発明の詳細な説明】
【技術分野】
【０００１】
本発明は、印刷物の製造方法、印刷物、画像生成システム、プログラムおよび情報記憶媒体に関する。
【背景技術】
【０００２】
従来から、ミニチュアの人物、物、背景などを組み合わせ、町中の風景などの場面を立体的に現す背景用物品（いわゆる、ジオラマ）が知られている（例えば、特許文献１参照）。このような背景用物品は、模型玩具などの被写体を撮影する際にも使用され、より臨場感溢れる写真を撮影することができる。
【特許文献１】特開平１１−５７２３１号公報
【発明の開示】
【発明が解決しようとする課題】
【０００３】
しかしながら、場所的な問題や金銭的な問題から、模型玩具などの被写体を撮影する際に背景用物品を用意できない場合もある。また、仮に背景用物品を用意することができたとしても、背景用物品の作成には多大な労力が必要となる。
【０００４】
本発明は、以上のような課題に鑑みてなされたものであり、その目的とするところは、あたかも背景用物品を配置して被写体を撮影したかのような撮影画像を作成することができる印刷物の製造方法、印刷物、画像生成システム、プログラムおよび情報記憶媒体を提供することにある。
【課題を解決するための手段】
【０００５】
（１）本発明は、被写体の撮影の背景に用いる印刷物の製造方法であって、撮影方向に対して斜め方向となる第１の基準面に背景用物体を配置して第１の撮影画像を作成し、前記第１の撮影画像の前記第１の基準面での画像のパースペクティブを無くすための第１の補正処理を、前記第１の撮影画像の前記第１の基準面に対応する領域に対して施して、第１の補正画像を作成し、前記第１の補正画像に基づいて被写体の撮影の背景に用いる第１の印刷物を作成する印刷物の製造方法に関する。
【０００６】
本発明によれば、背景用物体が撮影される際についた第１の基準面での画像のパースペクティブを第１の補正処理により無くした第１の印刷物が作成される。この第１の印刷物を第１の基準面に対応する基準面に配置して撮影を行った場合、第１の補正処理が行われているため、背景用物体を撮影した時と同様のパースペクティブがついた撮影画像を作成することが可能となる。従って本発明によれば、あたかも背景用物品を配置して被写体を撮影したかのような撮影画像を作成することができる印刷物を製造できる。
【０００７】
（２）また本発明の印刷物の製造方法では、前記第１の基準面に対して所定の角度をなす第２の基準面を含み、前記第１の撮影画像の前記第２の基準面での画像のパースペクティブを無くすための第２の補正処理を、前記第１の撮影画像の前記第２の基準面に対応する領域に対して施して、第２の補正画像を作成し、前記第２の補正画像に基づいて被写体の撮影の背景に用いる第２の印刷物を作成するようにしてもよい。
【０００８】
このようにすると、１つの基準面を設定しただけでは、奥行き感等に不自然さが生じるような場合にも、これを解消できる。
【０００９】
（３）また本発明は、被写体の撮影の背景に用いる印刷物の製造方法であって、撮影方向に対して斜め方向となる第１の基準面に配置された背景用物体と前記第１の基準面において長方形を構成する第１〜第４のマークとを撮影して第１の撮影画像を作成し、前記第１の撮影画像の前記第１〜第４のマークを長方形の頂点位置に移動させる第１の補正処理を行うことで、前記第１の撮影画像から第１の補正画像を作成し、前記第１の補正画像に基づいて被写体の撮影の背景に用いる第１の印刷物を作成する印刷物の製造方法に関する。
【００１０】
本発明によれば、背景用物体が撮影される際についた第１の基準面での画像のパースペクティブを第１の補正処理により無くした第１の印刷物が作成される。この第１の印刷物を第１の基準面に対応する基準面に配置して撮影を行った場合、第１の補正処理が行われているため、背景用物体を撮影した時と同様のパースペクティブがついた撮影画像を作成することが可能となる。従って本発明によれば、あたかも背景用物品を配置して被写体を撮影したかのような撮影画像を作成することができる印刷物を製造できる。
【００１１】
（４）また本発明の印刷物の製造方法では、前記第１の基準面に対して所定の角度をなす第２の基準面を含み、前記背景用物体と前記第１〜第４のマークとに加え、前記第２の基準面において長方形を構成する第５〜第８のマークを撮影して前記第１の撮影画像を作成し、前記第１の撮影画像の前記第５〜第８のマークを長方形の頂点位置に移動させる第２の補正処理を行うことで、前記第１の撮影画像から第２の補正画像を作成し、前記第２の補正画像に基づいて被写体の撮影の背景に用いる第２の印刷物を作成するようにしてもよい。
【００１２】
このようにすると、１つの基準面を設定しただけでは、奥行き感等に不自然さが生じるような場合にも、これを解消できる。
【００１３】
（５）また本発明の印刷物の製造方法では、被写体撮影時における撮影位置を指示する撮影位置指示物体を前記第１の基準面または前記第２の基準面に配置して、前記第１の撮影画像を作成するようにしてもよい。
【００１４】
このようにすると、被写体撮影時における適正な撮影位置を撮影者に知らせることができるため、実際に背景用物品を配置して被写体を撮影したものと比べても遜色のない撮影画像を作成することができる印刷物を製造できるようになる。
【００１５】
（６）また本発明の印刷物の製造方法では、前記第１の撮影画像、前記第１の補正画像、または前記第２の補正画像に、被写体撮影時における撮影位置を指示する指示画像を合成するようにしてもよい。
【００１６】
このようにすると、被写体撮影時における適正な撮影位置を撮影者に知らせることができるため、実際に背景用物品を配置して被写体を撮影したものと比べても遜色のない撮影画像を作成することができる印刷物を製造できるようになる。
【００１７】
（７）また本発明は、上記のいずれかの製造方法により作成された印刷物に関する。
【００１８】
（８）また本発明は、上記のいずれかの製造方法により作成された印刷物を複製することで作成された印刷物に関する。
【００１９】
（９）また本発明は、上記のいずれかの印刷物を被写体の撮影の背景に用いた印刷物の製造方法であって、前記第１の基準面に対応する基準面に前記第１の印刷物および被写体を配置して第２の撮影画像を作成し、前記第２の撮影画像に基づいて上記のいずれかの印刷物を被写体の撮影の背景に用いた印刷物を作成する印刷物の製造方法に関する。
【００２０】
このようにすると、あたかも背景用物品を配置して被写体を撮影したかのような印刷物を製造できる。
【００２１】
（１０）また本発明の印刷物の製造方法では、前記第２の基準面に対応する基準面に前記第２の印刷物を配置して前記第２の撮影画像を作成するようにしてもよい。
【００２２】
このようにすると、１つの基準面を設定しただけでは、奥行き感等に不自然さが生じるような場合にも、これを解消できる。
【００２３】
（１１）また本発明の印刷物の製造方法では、前記第２の撮影画像の撮影位置が、前記第１の撮影画像の撮影位置に対応する位置であるようにしてもよい。
【００２４】
このようにすると、実際に背景用物品を配置して被写体を撮影したものと比べても遜色のない印刷物を製造できるようになる。
【００２５】
（１２）また本発明は、上記のいずれかの製造方法により作成された印刷物に関する。
【００２６】
（１３）また本発明は、上記のいずれかの製造方法により作成された印刷物を複製することで作成された印刷物に関する。
【００２７】
（１４）また本発明は、被写体の撮影の背景に用いる背景用画像を生成する画像生成システムであって、撮影方向に対して斜め方向となる基準面に背景用物体を配置して撮影された撮影画像を取り込む取り込み部と、前記撮影画像の前記基準面での画像のパースペクティブを無くすための補正処理を、前記撮影画像の前記基準面に対応する領域に対して施して、背景用画像を生成する背景用画像生成部とを含む画像生成システムに関する。
【００２８】
また本発明は、上記各部としてコンピュータを機能させるプログラム、および上記各部としてコンピュータを機能させるプログラムを記憶するコンピュータ読み取り可能な情報記憶媒体に関する。
【００２９】
本発明によれば、背景用物体が撮影される際についた第１の基準面での画像のパースペクティブを第１の補正処理により無くした背景用画像が生成される。この背景用画像を印刷した印刷物を第１の基準面に対応する基準面に配置して撮影を行った場合、第１の補正処理が行われているため、奥行き感の矛盾は少なく、背景用物体を撮影した時と同様のパースペクティブがついた撮影画像を作成することが可能となる。従って本発明によれば、あたかも背景用物品を配置して被写体を撮影したかのような撮影画像を作成することができる背景用画像を生成できる。
【発明を実施するための最良の形態】
【００３０】
以下、本発明の実施の形態（本実施形態）について説明する。なお、以下に説明する本実施形態は特許請求の範囲に記載された本発明の内容を不当に限定するものではない。また、本実施形態で説明される構成の全てが本発明の必須構成要件であるとは限らない。
【００３１】
１．背景用印刷物の製造方法
図１〜図９を参照しながら、背景用印刷物の製造方法を説明する。
【００３２】
１．１  基準面が１つの場合
図１のフローチャートを参照しながら、基準面を１つに設定した場合の背景用印刷物の製造方法を説明する。図１は、基準面を１つに設定した場合の背景用印刷物の製造方法の一例を示すフローチャート図である。
【００３３】
図２は、基準面ＢＳと撮影方向ＰＤ（撮影位置ＰＰ）との関係の一例を説明するための図である。本実施形態では、まず図２に示すように、基準面ＢＳ上にジオラマなどの背景用物体ＢＯＢを配置する（ステップＳ１）。なお、基準面ＢＳの上方あるいは下方に背景用物体ＢＯＢを配置するようにしてもよい。
【００３４】
基準面ＢＳは、撮影方向ＰＤ（撮影位置ＰＰと注視点を結ぶ方向）に対して斜め方向となる面であり、撮影方向ＰＤに対して俯瞰角度θ（θ＜９０度）をなす面となっている。即ち基準面ＢＳは、撮影方向ＰＤに常に直交する透視投影スクリーンとは異なる面となる。
【００３５】
続いて、デジタルカメラなどの撮像装置ＰＥを用いて、撮影位置ＰＰから背景用物体ＢＯＢを撮影することで、撮影画像ＰＩ１を作成（生成）する（ステップＳ２）。
【００３６】
図３に撮影画像ＰＩ１の一例を示す。図３の撮影画像ＰＩ１は、背景用物体ＢＯＢと撮影位置ＰＰとの距離ＤＢＰを約５０ｃｍに設定するとともに、撮影方向ＰＤに対する俯瞰角度θを約４５度に設定して撮影されたものである。但し、距離ＤＢＰや俯瞰角度θの値は上記値に限定されるものではなく、背景用物体ＢＯＢや撮像装置ＰＥに応じて適宜設定することができる。なお、図３での背景用物体ＢＯＢは町中の風景を再現したジオラマである。
【００３７】
図３の撮影画像ＰＩ１の点Ｐ１〜点Ｐ４は、図２の基準面ＢＳ上の長方形ＢＲ（広義には正方形を含む四角形）を構成する頂点Ｖ１〜頂点Ｖ４に対応する点である。具体的に説明すると、図２の基準面ＢＳ上の頂点Ｖ１〜頂点Ｖ４の位置に第１〜第４のマークが描かれており、この第１〜第４のマークが、点Ｐ１〜点Ｐ４として撮影されて撮影画像ＰＩ１上に映し出される。
【００３８】
なお本実施形態では、頂点Ｖ１〜頂点Ｖ４、点Ｐ１〜点Ｐ４が、各々４点である場合を例にとり説明するが、本発明はこれに限定されず、５点以上であってもよい。
【００３９】
続いて、基準面ＢＳでの画像のパースペクティブ（perspective、奥行き感）を無くすための補正処理を、撮影画像ＰＩ１の基準面ＢＳに対応する領域に施し、補正画像ＲＩを作成（生成）する（ステップＳ３）。
【００４０】
図４は、撮影画像ＰＩ１から補正画像ＲＩへの補正手法の一例を示す図であり、図５は、補正画像ＲＩの一例を示す図である。本実施形態では、まず撮影画像ＰＩ１を画像生成システム（パーソナルコンピュータ、情報処理装置）に取り込み、画面上に表示させる。そして、図４に示すように、撮影画像ＰＩ１の点Ｐ１〜点Ｐ４が、長方形ＢＲと同一又は相似形状である長方形ＲＲの頂点Ｖ１’〜頂点Ｖ４’に移動するように、撮影画像ＰＩ１の補正処理を行うことで、図５の補正画像ＲＩを生成している。
【００４１】
この結果、図５の補正画像ＲＩでは、図３の撮影画像ＰＩ１についていた奥行き方向でのパースペクティブが無くなり、あたかも真上から見たような画像が作成（生成）される。なおこの補正処理により、パースペクティブが完全に無くなる必要はなく、後述する背景用印刷物ＢＰを背景として被写体を撮影する際に違和感が生じない程度にパースペクティブが無くなればよい。
【００４２】
続いて、補正画像ＲＩに基づき、被写体の撮影の背景に用いる背景用印刷物ＢＰを作成（生成）する（ステップＳ４）。
【００４３】
具体的には、インクジェット方式やレーザプリンタ方式などのカラープリンタ（広義には印刷機）を用いて補正画像ＲＩを印刷媒体に印刷することで、背景用印刷物ＢＰを作成する。なお、カラープリンタ（印刷機）により印刷された原盤となる背景用印刷物ＢＰを複製することで、背景用印刷物ＢＰを製造してもよい。このようにすれば、背景用印刷物ＢＰを短期間で大量に製造できるという利点がある。
【００４４】
そして、この背景用印刷物ＢＰを基準面ＢＳに対応する基準面に配置して撮影を行った場合、パースペクティブを無くすための補正処理が施されているため、背景用物体ＢＯＢを撮影した時と同様のパースペクティブがついた撮影画像を作成することが可能となる。従って、背景用印刷物ＢＰを背景に用いて被写体を撮影することで、あたかも背景用物体ＢＯＢ内に被写体を配置して撮影したかのような印刷物を作成することができるようになる。
【００４５】
１．２  基準面が２つの場合
基準面を１つに設定した場合の背景用印刷物の製造方法では、背景用物体ＢＯＢの高さが高い場合に奥行き感等にずれが生じる可能性がある。このような場合には、２つの基準面（広義には複数の基準面）を設ければよい。
【００４６】
図６のフローチャートを参照しながら、基準面を２つに設定した場合の背景用印刷物の製造方法を説明する。図６は、基準面を２つに設定した場合の背景用印刷物の製造方法の一例を示すフローチャート図である。
【００４７】
図７は、基準面ＢＳ１および基準面ＢＳ２と撮影方向ＰＤ（撮影位置ＰＰ）との関係の一例を説明するための図である。本実施形態では、まず図７に示すように、基準面ＢＳ１上かつ基準面ＢＳ２の手前側（撮影位置ＰＰ側）にジオラマなどの背景用物体ＢＯＢを配置する（ステップＳ１１）。なお、基準面ＢＳ１の上方あるいは下方に背景用物体ＢＯＢを配置するようにしてもよい。
【００４８】
基準面ＢＳ１は、撮影方向ＰＤ（撮影位置ＰＰと注視点を結ぶ方向）に対して斜め方向となる面であり、撮影方向ＰＤに対して俯瞰角度θ（θ＜９０度）をなす面となっている。即ち基準面ＢＳ１は、撮影方向ＰＤに常に直交する透視投影スクリーンとは異なる面となる。一方基準面ＢＳ２は、基準面ＢＳ１と所定の角度（例えば９０度）をなす面であり、境界ＢＤにおいて基準面ＢＳ１と連結されている。
【００４９】
続いて、デジタルカメラなどの撮像装置ＰＥを用いて、撮影位置ＰＰから背景用物体ＢＯＢを撮影することで、撮影画像ＰＩ１を作成（生成）する（ステップＳ１２）。
【００５０】
図８に、撮影画像ＰＩ１の模式図を示す。図８の撮影画像ＰＩ１の点Ｐ１〜点Ｐ４は、図７の基準面ＢＳ１上の長方形ＢＲ１（広義には正方形を含む四角形）を構成する頂点Ｖ１〜頂点Ｖ４に対応する点である。また図８の撮影画像ＰＩ１の点Ｐ５〜点Ｐ８は、図７の基準面ＢＳ２上の長方形ＢＲ２（広義には正方形を含む四角形）を構成する頂点Ｖ５〜頂点Ｖ８に対応する点である。具体的に説明すると、図７の基準面ＢＳ１上の頂点Ｖ１〜頂点Ｖ４の位置に第１〜第４のマークが描かれ、基準面ＢＳ２上の頂点Ｖ５〜頂点Ｖ８の位置に第５〜第８のマークが描かれており、この第１〜第８のマークが、点Ｐ１〜点Ｐ８として撮影されて撮影画像ＰＩ１上に映し出される。
【００５１】
続いて、基準面ＢＳ１での画像のパースペクティブ（perspective、奥行き感）を無くすための補正処理を、撮影画像ＰＩ１の基準面ＢＳ１に対応する領域に施し、補正画像ＲＩ１を作成（生成）するとともに、基準面ＢＳ２での画像のパースペクティブ（perspective、奥行き感）を無くすための補正処理を、撮影画像ＰＩ１の基準面ＢＳ２に対応する領域に施し、補正画像ＲＩ２を作成（生成）する（ステップＳ１３、ステップＳ１４）。
【００５２】
図９（Ａ）は、撮影画像ＰＩ１から補正画像ＲＩ１への補正手法の一例を示す図であり、図９（Ｂ）は、撮影画像ＰＩ１から補正画像ＲＩ２への補正手法の一例を示す図である。本実施形態では、まず撮影画像ＰＩ１を画像生成システム（パーソナルコンピュータ、情報処理装置）に取り込み、画面上に表示させる。そして、図９（Ａ）に示すように、撮影画像ＰＩ１の点Ｐ１〜点Ｐ４が、長方形ＢＲ１と同一又は相似形状である長方形ＲＲ１の頂点Ｖ１’〜頂点Ｖ４’に移動するように、撮影画像ＰＩ１の補正処理を行うことで、補正画像ＲＩ１を生成している。同様に、図９（Ｂ）に示すように、撮影画像ＰＩ１の点Ｐ５〜点Ｐ８が、長方形ＢＲ２と同一又は相似形状である長方形ＲＲ２の頂点Ｖ５’〜頂点Ｖ８’に移動するように、撮影画像ＰＩ１の補正処理を行うことで、補正画像ＲＩ２を生成している。
【００５３】
この結果、補正画像ＲＩ１については、図８の撮影画像ＰＩ１についていた奥行き方向でのパースペクティブが無くなり、あたかも真上から見たような画像が作成（生成）される。また、補正画像ＲＩ２については、図８の撮影画像ＰＩ１についていた下方向でのパースペクティブが無くなり、あたかも正面から見たような画像が作成（生成）される。なおこの補正処理により、パースペクティブが完全に無くなる必要はなく、後述する背景用印刷物ＢＰ１、背景用印刷物ＢＰ２を背景として被写体を撮影する際に違和感が生じない程度にパースペクティブが無くなればよい。
【００５４】
続いて、補正画像ＲＩ１に基づき、被写体の撮影の背景に用いる背景用印刷物ＢＰ１を作成（生成）するとともに、補正画像ＲＩ２に基づき、被写体の撮影の背景に用いる背景用印刷物ＢＰ２を作成（生成）する（ステップＳ１５、ステップＳ１６）。
【００５５】
具体的には、インクジェット方式やレーザプリンタ方式などのカラープリンタ（広義には印刷機）を用いて補正画像ＲＩ１を印刷媒体に印刷することで、背景用印刷物ＢＰ１を作成する。同様に、インクジェット方式やレーザプリンタ方式などのカラープリンタ（広義には印刷機）を用いて補正画像ＲＩ２を印刷媒体に印刷することで、背景用印刷物ＢＰ２を作成する。なお、カラープリンタ（印刷機）により印刷された原盤となる背景用印刷物ＢＰ１、背景用印刷物ＢＰ２を複製することで、背景用印刷物ＢＰ１、背景用印刷物ＢＰ２を製造してもよい。このようにすれば、背景用印刷物ＢＰ１、背景用印刷物ＢＰ２を短期間で大量に製造できるという利点がある。
【００５６】
そして、この背景用印刷物ＢＰ１を基準面ＢＳ１に対応する基準面に配置するとともにこの背景用印刷物ＢＰ２を基準面ＢＳ２に対応する基準面に配置して撮影を行った場合、パースペクティブを無くすための補正処理が施されているため、背景用物体ＢＯＢを撮影した時と同様のパースペクティブがついた撮影画像を作成することが可能となる。従って、背景用物体ＢＯＢの高さが高い場合であっても、背景用印刷物ＢＰ１、背景用印刷物ＢＰ２を背景に用いて被写体を撮影することで、あたかも背景用物体ＢＯＢ内に被写体を配置して撮影したかのような印刷物を作成することができるようになる。
【００５７】
２．背景用印刷物を背景に被写体を撮影した印刷物の製造方式
図１０〜図１６を参照しながら、背景用印刷物を被写体の撮影の背景に用いた印刷物の製造方法を説明する。
【００５８】
２．１  基準面が１つの場合
図１０のフローチャートを参照しながら、基準面を１つに設定した場合の背景用印刷物ＢＰを物体ＯＢ（被写体）の撮影の背景に用いた印刷物の製造方法を説明する。図１０は、基準面を１つに設定した場合の背景用印刷物ＢＰを物体ＯＢ（被写体）の撮影の背景に用いた印刷物の製造方法の一例を示すフローチャート図である。
【００５９】
図１１は、基準面ＢＳ’と、背景用印刷物ＢＰと、物体ＯＢと、撮影方向ＰＤ’（撮影位置ＰＰ’）との関係の一例を説明するための図である。本実施形態では、まず図１１に示すように、基準面ＢＳ’上に背景用印刷物ＢＰを配置する（ステップＳ２１）。なお基準面ＢＳ’は、背景用印刷物ＢＰを作成する際に背景用物体ＢＯＢを配置した基準面ＢＳに対応する面である。
【００６０】
基準面ＢＳ’は、撮影方向ＰＤ’（撮影位置ＰＰ’と注視点を結ぶ方向）に対して斜め方向となる面であり、撮影方向ＰＤ’に対して俯瞰角度θ（θ＜９０度）をなす面となっている。即ち基準面ＢＳ’は、撮影方向ＰＤ’に常に直交する透視投影スクリーンとは異なる面となる。
【００６１】
続いて、図１１に示すように、背景用印刷物ＢＰ上に物体ＯＢを配置する（ステップＳ２２）。なお、図１１での物体ＯＢは人形である。
【００６２】
続いて、デジタルカメラなどの撮像装置ＰＥ’を用いて、撮影位置ＰＰ’から背景用印刷物ＢＰおよび物体ＯＢを撮影することで、撮影画像ＰＩ２を作成（生成）する（ステップＳ２３）。
【００６３】
なお、撮影画像ＰＩ２の撮影は、物体ＯＢと撮影位置ＰＰ’との距離ＤＢＰ’を約５０ｃｍに設定するとともに、撮影方向ＰＤ’に対する俯瞰角度θを約４５度に設定して行う。即ち、撮影位置ＰＰ’は図３の撮影画像ＰＩ１の撮影位置ＰＰに対応する位置であり、撮影方向ＰＤ’は図３の撮影画像ＰＩ１の撮影方向ＰＤに対応する方向である。但し、撮影位置ＰＰ’および撮影方向ＰＤ’を、厳密に撮影位置ＰＰおよび撮影方向ＰＤに一致させる必要はなく、撮影画像ＰＩ２のパースペクティブに違和感が生じない程度の位置および方向であればよい。
【００６４】
続いて、撮影画像ＰＩ２に基づき、背景用印刷物ＢＰを物体ＯＢの撮影の背景に用いた印刷物ＯＰを作成（生成）する（ステップＳ２４）。
【００６５】
具体的には、インクジェット方式やレーザプリンタ方式などのカラープリンタ（広義には印刷機）を用いて撮影画像ＰＩ２を印刷媒体に印刷することで、印刷物ＯＰを作成する。なお、カラープリンタ（印刷機）により印刷された原盤となる印刷物ＯＰを複製することで、印刷物ＯＰを製造してもよい。このようにすれば、印刷物ＯＰを短期間で大量に製造できるという利点がある。
【００６６】
また、撮影画像ＰＩ２を印刷媒体に印刷せずに、例えば、ＣＲＴ、ＬＣＤ、或いはタッチパネル型ディスプレイなどの表示装置に表示させるようにしてもよい。
【００６７】
図１２に印刷物ＯＰの一例を示す。また比較例１として、図１３に、背景用物体ＢＯＢ内に物体ＯＢを配置して撮影した印刷物ＯＰ’の一例を示す。また比較例２として、図１４に、図３の撮影画像ＰＩ１を印刷媒体に印刷した印刷物ＢＰ’の上に物体ＯＢを配置して撮影した印刷物ＯＰ’’の一例を示す。
【００６８】
まず、図１３に示す印刷物ＯＰ’は、背景用物体ＢＯＢ内に物体ＯＢを配置して撮影したものであるため、物体ＯＢは違和感なく背景用物体ＢＯＢ内に存在する。
【００６９】
一方、図１４に示す印刷物ＯＰ’’は、図３の撮影画像ＰＩ１を印刷媒体に印刷した印刷物ＢＰ’の上に物体ＯＢを配置して撮影したものであるため、印刷物ＢＰ’にパースペクティブが残っており、印刷物ＯＰ’’に二重にパースペクティブがついてしまっている。このため、物体ＯＢと印刷物ＢＰ’との間に違和感が生じ、背景用物体ＢＯＢ内に物体ＯＢを配置して撮影したように見えない。
【００７０】
これに対し、図１２に示す印刷物ＯＰは、パースペクティブを無くすための補正処理が施された背景用印刷物ＢＰの上に物体ＯＢを配置して撮影したものであるため、背景用印刷物ＢＰにパースペクティブが残っておらず、印刷物ＯＰについたパースペクティブに矛盾が生じていない。このため、物体ＯＢと印刷物ＢＰ’との間に違和感が生じず、あたかも背景用物体ＢＯＢ内に物体ＯＢを配置して撮影したかのように見える。また、図１３に示す印刷物ＯＰ’と比較してもほとんど差がない。
【００７１】
このように本実施形態では、パースペクティブを無くすための補正処理が施された背景用印刷物ＢＰを基準面ＢＳに対応する基準面ＢＳ’に配置して物体ＯＢを撮影しているため、あたかも背景用物体ＢＯＢ内に物体ＯＢを配置して撮影したかのような印刷物を作成することができる。
【００７２】
２．２  基準面が２つの場合
図１５のフローチャートを参照しながら、基準面を２つに設定した場合の背景用印刷物ＢＰ１、背景用印刷物ＢＰ２を物体ＯＢ（被写体）の撮影の背景に用いた印刷物の製造方法を説明する。図１５は、基準面を２つに設定した場合の背景用印刷物ＢＰ１、背景用印刷物ＢＰ２を物体ＯＢ（被写体）の撮影の背景に用いた印刷物の製造方法の一例を示すフローチャート図である。
【００７３】
図１６は、基準面ＢＳ１’と、基準面ＢＳ２’と、背景用印刷物ＢＰ１と、背景用印刷物ＢＰ２と、物体ＯＢと、撮影方向ＰＤ’（撮影位置ＰＰ’）との関係の一例を説明するための図である。本実施形態では、まず図１６に示すように、基準面ＢＳ１’上に背景用印刷物ＢＰ１を配置するとともに、基準面ＢＳ２’の手前側（撮影位置ＰＰ’側）に背景用印刷物ＢＰ２を配置する（ステップＳ３１）。なお基準面ＢＳ１’は、基準面ＢＳ１に対応する面であり、基準面ＢＳ２’は、基準面ＢＳ２に対応する面である。
【００７４】
基準面ＢＳ１’は、撮影方向ＰＤ’（撮影位置ＰＰ’と注視点を結ぶ方向）に対して斜め方向となる面であり、撮影方向ＰＤ’に対して俯瞰角度θ（θ＜９０度）をなす面となっている。即ち基準面ＢＳ１’は、撮影方向ＰＤ’に常に直交する透視投影スクリーンとは異なる面となる。一方基準面ＢＳ２’は、基準面ＢＳ１’と所定の角度（例えば９０度）をなす面であり、境界ＢＤ’において基準面ＢＳ１’と連結されている。
【００７５】
続いて、図１６に示すように、背景用印刷物ＢＰ１上かつ背景用印刷物ＢＰ２の手前側（撮影位置ＰＰ’側）に物体ＯＢを配置する（ステップＳ３２）。
【００７６】
続いて、デジタルカメラなどの撮像装置ＰＥ’を用いて、撮影位置ＰＰ’から背景用印刷物ＢＰ１、背景用印刷物ＢＰ２、および物体ＯＢを撮影することで、撮影画像ＰＩ２を作成（生成）する（ステップＳ３３）。
【００７７】
続いて、撮影画像ＰＩ２に基づき、背景用印刷物ＢＰ１および背景用印刷物ＢＰ２を物体ＯＢの撮影の背景に用いた印刷物ＯＰを作成（生成）する（ステップＳ３４）。
【００７８】
具体的には、インクジェット方式やレーザプリンタ方式などのカラープリンタ（広義には印刷機）を用いて撮影画像ＰＩ２を印刷媒体に印刷することで、印刷物ＯＰを作成する。なお、カラープリンタ（印刷機）により印刷された原盤となる印刷物ＯＰを複製することで、印刷物ＯＰを製造してもよい。このようにすれば、印刷物ＯＰを短期間で大量に製造できるという利点がある。
【００７９】
また、撮影画像ＰＩ２を印刷媒体に印刷せずに、例えば、ＣＲＴ、ＬＣＤ、或いはタッチパネル型ディスプレイなどの表示装置に表示させるようにしてもよい。
【００８０】
このように本実施形態では、パースペクティブを無くすための補正処理が施された背景用印刷物ＢＰ１を基準面ＢＳ１に対応する基準面ＢＳ１’に配置するとともに、パースペクティブを無くすための補正処理が施された背景用印刷物ＢＰ２を基準面ＢＳ２に対応する基準面ＢＳ２’に配置して物体ＯＢを撮影しているため、背景用物体ＢＯＢの高さが高い場合であっても、あたかも背景用物体ＢＯＢ内に物体ＯＢを配置して撮影したかのような印刷物を作成することができる。
【００８１】
３．撮影位置ＰＰ’の指示手法
さて、背景用印刷物ＢＰを物体ＯＢの撮影の背景に用いた印刷物を作成する場合、上述したように、撮影画像ＰＩ２の撮影位置ＰＰ’を撮影画像ＰＩ１の撮影位置ＰＰに対応させることが好ましい。
【００８２】
そこで本実施形態では、図１７に示すように、撮影画像ＰＩ２の撮影位置ＰＰ’を指示する球ＳＯ（撮影位置指示物体の一例）を基準面ＢＳに配置して、撮影画像ＰＩ１を作成する。具体的には、撮影画像ＰＩ１を作成する際に、撮影位置ＰＰから球ＳＯを見た場合に、球ＳＯが円に見える位置に球ＳＯを配置して、撮影位置ＰＰから背景用物体ＢＯＢおよび球ＳＯを撮影する。なお、基準面を複数設ける場合（例えば、基準面ＢＳ１および基準面ＢＳ２を設ける場合）には、球ＳＯは基準面ＢＳ１に配置してもよいし基準面ＢＳ２に配置してもよい。
【００８３】
本実施形態では、撮影画像ＰＩ１にパースペクティブを無くすための補正処理を施して背景用印刷物ＢＰを作成するため、背景用印刷物ＢＰを基準面ＢＳに対応する基準面ＢＳ’に配置して撮影を行う場合、背景用物体ＢＯＢを撮影した時（撮影画像ＰＩ１を作成した時）と同様のパースペクティブが撮影画像ＰＩ２に付くことになる。
【００８４】
つまり本実施形態では、撮影画像ＰＩ１を撮影する際の球ＳＯの見え方と撮影画像ＰＩ２を撮影する際の球ＳＯの見え方との対応関係がほぼ一致することになるため、撮影画像ＰＩ２の撮影位置ＰＰ’を球ＳＯが円に見える位置に設定することで、撮影画像ＰＩ２の撮影位置ＰＰ’を撮影画像ＰＩ１の撮影位置ＰＰに対応させることができる。
【００８５】
このように本実施形態では、背景用物体ＢＯＢを撮影する際に、撮影画像ＰＩ２の撮影位置ＰＰ’を指示する球ＳＯを含めて撮影するため、被写体撮影時における適正な撮影位置を撮影者に知らせることができ、実際に背景用物品を配置して被写体を撮影したものと比べても遜色のない撮影画像を作成することができる。
【００８６】
なお、撮影位置指示物体の形状は球に限られず、例えば立方体などであってもよい。この場合には、影位置ＰＰから立方体を見た場合に、立方体の３面が全て同じ形に見える位置に立方体を配置して、撮影位置ＰＰから背景用物体ＢＯＢおよび立方体を撮影すればよい。
【００８７】
また、撮影画像ＰＩ１の球ＳＯの画像データ、補正画像ＲＩ１の球ＳＯの画像データを記憶しておき、これらの画像を基準面ＢＳに球ＳＯを配置せずに作成した撮影画像ＰＩ１、補正画像ＲＩに合成するようにしてもよい。なお、基準面を複数設ける場合（例えば、基準面ＢＳ１および基準面ＢＳ２を設ける場合）には、補正画像ＲＩ１に合成するようにしてもよいし、補正画像ＲＩ２に合成するようにしてもよい。
【００８８】
このようにすると、背景用印刷物ＢＰ（撮影画像ＰＩ１）の作成時に、球ＳＯ（撮影位置指示物体の一例）を基準面ＢＳに配置する手間を省くことができる。
【００８９】
４．画像生成システム
図１８に、本実施形態の画像生成（処理）システムの機能ブロック図の例を示す。なお、本実施形態の画像生成システムは、図１８の構成要素（各部）を全て含む必要はなく、その一部を省略した構成としてもよい。
【００９０】
本実施形態の画像生成システムは、撮像装置ＰＥで撮影した撮影画像ＰＩ１を取り込み、この撮影画像ＰＩ１から背景用画像を生成したり、背景用画像が印刷された背景用印刷物を作成する背景用画像作成システム（パーソナルコンピュータ、背景用画像作成サーバ）として用いることができる。
【００９１】
操作部１６０は、オペレータが操作データを入力するためのものであり、その機能は、マウス、キーボード、などのハードウェアにより実現できる。
【００９２】
記憶部１７０は、処理部１００、印刷部１９４、通信部１９６などのワーク領域となるもので、その機能はＲＡＭなどのハードウェアにより実現できる。
【００９３】
情報記憶媒体１８０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、或いはメモリ（ＲＯＭ）などのハードウェアにより実現できる。処理部１００は、この情報記憶媒体１８０に格納されるプログラム（データ）や携帯型情報記憶装置１８２から読み出されたデータなどに基づいて本実施形態の種々の処理を行う。即ち情報記憶媒体１８０には、本実施形態の各部としてコンピュータを機能させるためのプログラム（各部の処理をコンピュータに実行させるためのプログラム）が記憶（記録、格納）される。
【００９４】
表示部１９０は、本実施形態により生成された画像を出力するものであり、その機能は、ＣＲＴ、ＬＣＤ、或いはタッチパネル型ディスプレイなどのハードウェアにより実現できる。
【００９５】
音出力部１９２は、本実施形態により生成された音を出力するものであり、その機能は、スピーカ、或いはヘッドフォンなどのハードウェアにより実現できる。
【００９６】
印刷部１９４は、背景用画像を印刷媒体（紙等）に印刷するものであり、その機能は、インクジェット方式やレーザプリンタ方式などのカラープリンタ（広義には印刷機）により実現できる。
【００９７】
通信部１９６は、外部（例えばホスト装置や他の画像生成システム）との間で通信を行うための各種の制御を行うものであり、その機能は、各種プロセッサ又は通信用ＡＳＩＣなどのハードウェアや、プログラムなどにより実現できる。
【００９８】
なお本実施形態の各部としてコンピュータを機能させるためのプログラム（データ）は、ホスト装置（サーバー）が有する情報記憶媒体からネットワーク及び通信部１９６を介して記憶部１７０や情報記憶媒体１８０に配信するようにしてもよい。このようなホスト装置（サーバー）の情報記憶媒体の使用も本発明の範囲内に含まれる。
【００９９】
処理部１００（プロセッサ）は、操作部１６０からの操作データやプログラムなどに基づいて、画像生成処理、音生成処理などの各種の処理を行う。この処理部１００は、記憶部１７０をワーク領域として各種処理を行う。この処理部１００の機能は、各種プロセッサ（ＣＰＵ、ＤＳＰ等）やＡＳＩＣ（ゲートアレイ等）などのハードウェアや、プログラム（ゲームプログラム）により実現できる。
【０１００】
処理部１００は、取り込み部１１０、背景用画像生成部１１２を含む。なおこれらの一部を省略してもよい。
【０１０１】
取り込み部１１０は、撮影画像ＰＩ１を取り込む処理（読み出す処理、ダウンロードする処理）を行う。より具体的には、情報記憶媒体１８０（記憶部１７０）やメモリカード等の携帯型情報記憶装置１８２に記憶（セーブ）された撮影画像ＰＩ１を読み出す処理を行う。或いは、通信部１９６を介してインターネットなどのネットワークから、撮影画像ＰＩ１をダウンロードする処理を行う。或いは、通信部１９６（ＵＳＢ、ＩＥＥＥ１３９４）を介して接続される撮像装置１０やスキャナから、撮影画像ＰＩ１を読み出す処理を行う。そして取り込んだ撮影画像ＰＩ１は、補正処理前の元画像として使用される。なお撮影画像ＰＩ１は、撮影方向に対して斜め方向となる基準面ＢＳに背景用物体ＢＯＢを配置して撮影することで、作成（生成）される。
【０１０２】
背景用画像生成部１１２は、撮影画像ＰＩ１の基準面ＢＳでの画像のパースペクティブを無くすための補正処理を、撮影画像ＰＩ１の基準面ＢＳに対応する領域に施して、背景用画像（補正画像ＲＩ）を生成する。なお、基準面を複数設定する場合には（例えば、基準面ＢＳ１、基準面ＢＳ２）、撮影画像ＰＩ１の基準面ＢＳ１での画像のパースペクティブを無くすための補正処理を、撮影画像ＰＩ１の基準面ＢＳ１に対応する領域に施して、第１の背景用画像（補正画像ＲＩ１）を生成するとともに、撮影画像ＰＩ１の基準面ＢＳ２での画像のパースペクティブを無くすための補正処理を、撮影画像ＰＩ１の基準面ＢＳ２に対応する領域に施して、第２の背景用画像（補正画像ＲＩ２）を生成する。
【０１０３】
背景用画像生成部１１２は、テクスチャ記憶部１７２に記憶されたテクスチャを読み出して、オブジェクトにマッピングするテクスチャマッピング部１１４を含む。そして上記の撮影画像ＰＩ１の補正処理は、このテクスチャマッピング処理などを用いて実現できる。
【０１０４】
具体的には、取り込み部１１０が取り込んだ撮影画像ＰＩ１を、ＶＲＡＭのテクスチャ領域（テクスチャ空間）に書き込み、これらの画像を、テクスチャ画像に設定する。そして、テクスチャマッピング部１１４が、パースペクティブのついたテクスチャ画像を、長方形ＲＲ（正方形を含む広義の意味の長方形）のポリゴン（プリミティブ面）にマッピングする。これにより、図５に示すように基準面ＢＳでの画像のパースペクティブが無くなった背景用画像（補正画像ＲＩ）を生成できる。
【０１０５】
そして生成された背景用画像は、記憶部１７０や情報記憶媒体１８０に書き込まれる（セーブされる）。或いは、生成された背景用画像を通信部１９６、ネットワーク（インターネット）を介して外部のシステムに配信してもよい。或いは、生成された背景用画像を印刷部１９４に出力してもよい。この場合、印刷部１９４は、その背景用画像を印刷媒体に印刷することで、背景用印刷物を作成して出力する。
【０１０６】
本発明は、上記実施形態で説明したものに限らず、種々の変形実施が可能である。また上記実施形態で説明した構成は、一例を示したに過ぎず、上記実施形態の構成と同様の効果を奏する均等な手法を採用した場合においても本発明の範囲に含めることができる。
【０１０７】
例えば、背景用印刷物ＢＰを作成する場合に、図１９に示すような撮影ブースＩＢを使用してもよい。撮影ブースＩＢは、バックペーパーＢＰＡと、バックペーパーＢＰＡで覆われた空間内を照らす複数の照明ＩＬから構成されており、バックペーパーＢＰＡで覆われた空間内に背景用物体ＢＯＢを配置して撮影する。このような撮影ブースを用いて背景用物体ＢＯＢを撮影すると、より鮮明な背景用印刷物ＢＰを作成することができる。なお撮影ブースＩＢは、背景用印刷物ＢＰを背景に用いて被写体ＯＢを撮影する場合に用いてもよい。
【０１０８】
また、上記実施形態の各部（各手段）の処理は、その全てをハードウェアのみにより実現してもよいし、情報記憶媒体に格納されるプログラムや通信インターフェースを介して配信されるプログラムにより実現してもよい。或いは、ハードウェアとプログラムの両方により実現してもよい。そして、本実施形態の各部の処理をハードウェアとプログラムの両方により実現する場合には、情報記憶媒体には、ハードウェア（コンピュータ）を本実施形態の各部として機能させるためのプログラムが格納される。
【図面の簡単な説明】
【０１０９】
【図１】基準面を１つに設定した場合の背景用印刷物の製造方法の一例を示すフローチャート図である。
【図２】基準面ＢＳと撮影方向ＰＤ（撮影位置ＰＰ）との関係の一例を説明するための図である。
【図３】撮影画像ＰＩ１の一例を示す図である。
【図４】撮影画像ＰＩ１から補正画像ＲＩへの補正手法の一例を示す図である。
【図５】補正画像ＲＩの一例を示す図である。
【図６】基準面を２つに設定した場合の背景用印刷物の製造方法の一例を示すフローチャート図である。
【図７】基準面ＢＳ１および基準面ＢＳ２と撮影方向ＰＤ（撮影位置ＰＰ）との関係の一例を説明するための図である。
【図８】撮影画像ＰＩ１の模式図である。
【図９】図９（Ａ）は、撮影画像ＰＩ１から補正画像ＲＩ１への補正手法の一例を示す図であり、図９（Ｂ）は、撮影画像ＰＩ１から補正画像ＲＩ２への補正手法の一例を示す図である。
【図１０】基準面を１つに設定した場合の背景用印刷物ＢＰを物体ＯＢ（被写体）の撮影の背景に用いた印刷物の製造方法の一例を示すフローチャート図である。
【図１１】基準面ＢＳ’と、背景用印刷物ＢＰと、物体ＯＢと、撮影方向ＰＤ’（撮影位置ＰＰ’）との関係の一例を説明するための図である。
【図１２】印刷物ＯＰの一例を示す図である。
【図１３】背景用物体ＢＯＢ内に物体ＯＢを配置して撮影した印刷物ＯＰ’の一例を示す図である。
【図１４】図３の撮影画像ＰＩ１を印刷媒体に印刷した印刷物ＢＰ’の上に物体ＯＢを配置して撮影した印刷物ＯＰ’’の一例を示す図である。
【図１５】基準面を２つに設定した場合の背景用印刷物ＢＰ１、背景用印刷物ＢＰ２を物体ＯＢ（被写体）の撮影の背景に用いた印刷物の製造方法の一例を示すフローチャート図である。
【図１６】基準面ＢＳ１’と、基準面ＢＳ２’と、背景用印刷物ＢＰ１と、背景用印刷物ＢＰ２と、物体ＯＢと、撮影方向ＰＤ’（撮影位置ＰＰ’）との関係の一例を説明するための図である。
【図１７】基準面ＢＳと撮影方向ＰＤ（撮影位置ＰＰ）と撮影画像ＰＩ２の撮影位置ＰＰ’を指示する球ＳＯとの関係の一例を説明するための図である。
【図１８】本実施形態の画像生成（処理）システムの機能ブロック図の一例を示す図である。
【図１９】撮影ブースＩＢの一例を示す図である。
【符号の説明】
【０１１０】
ＢＳ（ＢＳ１、ＢＳ２）、ＢＳ’（ＢＳ１’、ＢＳ２’）  基準面、
ＰＤ、ＰＤ’  撮影方向、ＰＰ、ＰＰ’  撮影位置、ＰＥ、ＰＥ’  撮像装置、
ＢＯＢ  背景用物体、ＯＢ  物体（被写体）、ＰＩ１、ＰＩ２  撮影画像、
ＲＩ（ＲＩ１、ＲＩ２）  補正画像、ＢＰ（ＢＰ１、ＢＰ２）  背景用印刷物、
ＢＲ（ＢＲ１、ＢＲ２）、ＲＲ（ＲＲ１、ＲＲ２）  長方形、ＢＤ  境界、
ＯＰ、ＯＰ’、ＯＰ’’  印刷物
１００  処理部、１１０  取り込み部、１１２  背景用画像生成部、
１１４  テクスチャマッピング部、１６０  操作部、１７０  記憶部、
１７２  テクスチャ記憶部、１８０  情報記憶媒体、１８２  携帯型情報記憶装置、
１９０  表示部、１９２  音出力部、１９４  印刷部、１９６  通信部
ＩＢ  撮影ブース、ＢＰＡ  バックペーパー、ＩＬ  照明
【図１】
2009245352.tif 000003
【図２】
2009245352.tif 000004
【図６】
2009245352.tif 000005
【図７】
2009245352.tif 000006
【図８】
2009245352.tif 000007
【図９】
2009245352.tif 000008
【図１０】
2009245352.tif 000009
【図１１】
2009245352.tif 000010
【図１５】
2009245352.tif 000011
【図１６】
2009245352.tif 000012
【図１７】
2009245352.tif 000013
【図１８】
2009245352.tif 000014
【図１９】
2009245352.tif 000015
【図３】
2009245352.tif 000016
【図４】
2009245352.tif 000017
【図５】
2009245352.tif 000018
【図１２】
2009245352.tif 000019
【図１３】
2009245352.tif 000020
【図１４】
2009245352.tif 000021